【事件の表示】
　上記当事者間の国際商標登録第１１３６３０５号商標の商標登録無効審判事件について，次のとおり審決する。
【結論】
　国際商標登録第１１３６３０５号の登録を無効とする。
　審判費用は被請求人の負担とする。
【理由】
第１　本件商標
　本件国際登録第１１３６３０５号商標（以下「本件商標」という。）は，「ＫＡＴＥ’Ｓ　ＷＯＲＬＤ」の欧文字を横書きしてなり，２０１２年（平成２４年）２月１４日に英国においてした商標登録出願に基づきパリ条約第４条による優先権を主張して，同年８月１日に国際商標登録出願，第３類「Ｎｏｎ−ｍｅｄｉｃａｔｅｄ　ｔｏｉｌｅｔ　ｐｒｅｐａｒａｔｉｏｎｓ；ｃｏｓｍｅｔｉｃ　ｐｒｅｐａｒａｔｉｏｎｓ　ｆｏｒ　ｓｋｉｎ　ｃａｒｅ；ｂｏｄｙ　ａｎｄ　ｂｅａｕｔｙ　ｃａｒｅ　ｐｒｅｐａｒａｔｉｏｎｓ；ｐｏｗｄｅｒｓ，ｃｒｅａｍｓ　ａｎｄ　ｌｏｔｉｏｎｓ，ａｌｌ　ｆｏｒ　ｔｈｅ　ｆａｃｅ，ｈａｎｄｓ　ａｎｄ　ｂｏｄｙ　ｎｏｔ　ｆｏｒ　ｍｅｄｉｃａｌ　ｐｕｒｐｏｓｅｓ；ｎａｉｌ　ｐｏｌｉｓｈ；ｎａｉｌ　ｐｏｌｉｓｈ　ｒｅｍｏｖｅｒ；ｃｏｓｍｅｔｉｃｓ；ｓｏａｐｓ；ｓｈｏｗｅｒ　ａｎｄ　ｂａｔｈ　ｃｏｓｍｅｔｉｃ　ｐｒｅｐａｒａｔｉｏｎｓ；ｐｒｅｐａｒａｔｉｏｎｓ　ｆｏｒ　ｃｌｅａｎｉｎｇ，ｍｏｉｓｔｕｒｉｓｉｎｇ，ｃｏｌｏｕｒｉｎｇ　ａｎｄ　ｓｔｙｌｉｎｇ　ｔｈｅ　ｈａｉｒ；ｐｒｅｐａｒａｔｉｏｎｓ　ｆｏｒ　ｃｌｅａｎｉｎｇ　ｔｈｅ　ｔｅｅｔｈ；ｓｈａｖｉｎｇ　ａｎｄ　ａｆｔｅｒｓｈａｖｅ　ｐｒｅｐａｒａｔｉｏｎｓ；ｐｅｒｆｕｍｅｓ，ｔｏｉｌｅｔ　ｗａｔｅｒｓ，ｅａｕ−ｄｅ−Ｃｏｌｏｇｎｅ；ｄｅｏｄｏｒａｎｔｓ　ａｎｄ　ａｎｔｉ−ｐｅｒｓｐｉｒａｎｔｓ　ｆｏｒ　ｐｅｒｓｏｎａｌ　ｕｓｅ；ｅｓｓｅｎｔｉａｌ　ｏｉｌｓ　（ｃｏｓｍｅｔｉｃ）；ａｌｌ　ｔｈｅ　ａｆｏｒｅｓａｉｄ　ｂｅｉｎｇ　ａｌｏｎｅ，ｉｎ　ｃｏｍｂｉｎａｔｉｏｎ　ａｎｄ／ｏｒ　ｉｎ　ｇｉｆｔ　ｓｅｔｓ　ｃｏｍｐｒｉｓｅｄ　ｏｆ　ｓｏｍｅ　ｏｒ　ａｌｌ　ｏｆ　ｔｈｅｓｅ　ｉｔｅｍｓ．」（参考仮訳：「医療用でない化粧品，皮膚の手入れ用化粧品，身体用及び美容用化粧品，パウダー・クリーム及びローション（全て顔用・手用及び身体用のもので医療用でないもの。），ネイルエナメル，ネイルエナメル除去液，化粧品，せっけん，シャワー用及び浴用化粧品，毛髪の洗浄用・保湿用・染色用及びスタイリング用剤，歯の清浄用剤，ひげそり用及びひげそり後用剤，香水，化粧水，オーデコロン，身体の防臭用及び制汗用化粧品，精油（化粧品），上記の全ての商品は単独か、いくつか又は全てからの組み合わせ及び／又はギフトセットとしてなるものである。」）を指定商品として，平成２５年４月１０日に登録査定，同年７月１２日に設定登録されたものである。
第２　引用商標
　請求人が本件商標の無効の理由に引用する登録商標は，以下の（１）及び（２）のとおり（以下，これらをまとめていうときは「引用各商標」という。）であって，いずれも現に有効に存続しているものである。
　（１）登録第４１１３９８２号商標（以下「引用商標１」という。）は，「ＫＡＴＥ」の欧文字と「ケイト」の片仮名を上下二段に横書きしてなり，平成８年８月２３日に登録出願，第３類「せっけん類，香料類，化粧品」を指定商品として，同１０年２月１３日に設定登録されたものである。
　（２）登録第５３９８４５８号商標（以下「引用商標２」という。）は，別掲のとおりの構成からなり，平成２２年１２月１３日に登録出願，第３類「せっけん類，化粧品，香料類，つけづめ，つけまつ毛」及び第２１類「化粧用具（「電気式歯ブラシ」を除く。）」を指定商品として，同２３年３月１１日に設定登録されたものである。
第３　請求人の主張
　請求人は，結論と同旨の審決を求めると申立て，その理由を要旨次のように述べた。
　１　無効理由の要点
　本件商標は，以下のとおり，商標法第４条第１項第１１号及び同項第１５号に該当するものであるから，同法第４６条第１項第１号により無効にされるべきである。
　（１）商標法第４条第１項第１１号について
　本件商標は，その構成中に請求人及びその子会社である株式会社カネボウ化粧品（以下，「カネボウ」といい，請求人と総称していう場合には「請求人ら」という。）の営業表示及び請求人の業務に係る商品「化粧品」等に使用される商標として，周知・著名な引用各商標「ＫＡＴＥ」を含むものであり，本件商標出願日前の商標登録出願に係る請求人の先行登録商標である引用各商標と類似する商標である。
　また，本件商標は，引用各商標に係る指定商品と同一又は類似の指定商品について使用する商標である。
　よって，本件商標は，商標法第４条第１項第１１号に該当する。
　（２）商標法第４条第１項第１５号について
　請求人らが商品「化粧品」等に使用して周知・著名な引用各商標と称呼・観念において類似する本件商標が，その指定商品について使用された場合には，これに接する需要者，取引者は，周知・著名な引用各商標と関連のある商品であるかのごとく，その商品の出所について混同するおそれが極めて高いといえる。
　よって，本件商標は，商標法第４条第１項第１５号に該当する。
　２　具体的理由
　（１）化粧品ブランド「ＫＡＴＥ」の著名性について
　ア　「ＫＡＴＥ」の市場への登場について
　請求人は，１９４０（昭和１５）年５月に設立され（なお，請求人の前身である「長瀬商店」の創業は，１８８７（明治２０）年である。），化粧品，スキンケア・ボディケア製品，ヘアケア製品やヘアスタイリング剤，健康機能性食品・飲料，サニタリー製品，オーラルケア製品，入浴剤，衣料用洗剤や柔軟仕上げ剤等のファブリックケア製品，食器用洗剤，住居用洗剤等のホームケア製品を中心に扱う，我が国で屈指の総合日用品メーカーである。同時に，これら日用品に加えて，油脂関連製品をはじめ，それを原料とする，油脂誘導体や界面活性剤，高機能ポリマー，香料など，多岐にわたる工業用製品も扱い，幅広い事業を展開する巨大企業である。
　また，カネボウは，１９４９（昭和２４）年に設立した鐘淵化学工業株式会社が前身である化粧品全般の開発，製造，販売を主な業務内容とする，２００４（平成１６）年５月７日に設立された日本を代表する大手化粧品メーカーである。その後，カネボウは，２００６（平成１８）年に請求人の完全子会社となっている。
　「ＫＡＴＥ」は，１９９７（平成９）年２月に化粧品ブランドとしてカネボウにより発売が開始された。「ＫＡＴＥ」ブランドは，２０歳前後の女性をコアターゲットとし，クールでシャープな独自の世界観をもったメイクアップブランドとして，発売から１７年を経過した現在においても圧倒的な支持を継続している。
　イ　「ＫＡＴＥ」商品の人気について
　「ＫＡＴＥ」商品は，発売当時から流行を取り入れたクールでシャープな独自の世界観を貫き，手ごろな価格設定と商品の高品質・高性能もあいまって圧倒的な人気を獲得し，その人気は現在も継続している。
　「ＫＡＴＥ」商品は，目元を強調するためのお勧めの化粧品ブランドとして人気女性誌や化粧品のクチコミサイトにも数多くとりあげられており，中でも，「ＫＡＴＥ」のアイブロウは，人気ランキングの１位にランクされるほどの人気商品である。
　また，「ＫＡＴＥ」商品に関する売上高は，２００８（平成２０）年には１６０億円超，その後も年々売上げが増加しており，２０１３（平成２５）年には２００億円超の売上げを記録していることからも，人気の高いブランドであることが理解できる。
　さらに，「ＫＡＴＥ」商品は，２０１３（平成２５）年９月の時点において，東京だけでも１，６７５店舗，そして，日本全国では１６，５６８もの店舗が取り扱っている。
　ウ　「ＫＡＴＥ」ブランドに関する広告宣伝活動
　請求人らは，「ＫＡＴＥ」商品を１９９７（平成９）年に発売以降，２０歳前後の女性をコアターゲットにした全国規模でのテレビＣＭ，新聞，ウェブサイト等に「ＫＡＴＥ」商品を掲載し，精力的に広告宣伝活動を行ってきた。
　（ア）テレビＣＭ
　テレビＣＭは，関東地区において，２００３（平成１５）年では１７００ＧＰＲ・・・，２０１０（平成２２）年では４７０４．２ＧＲＰ，２０１１（平成２３）年では５８５１．１ＧＲＰ，２０１２（平成２４）年では４７６６ＧＲＰを記録している。
　なお，ＧＲＰとは，「グロス・レイティング・ポイント」の略であり，ある期間中に放送したテレビＣＭの各回の世帯視聴率の合計である。例えば，関東地区で２２５ＧＲＰを獲得するには２２５０万円程度のコストがかかることを考慮すれば，請求人らが１０年以上の長期間にわたって，「ＫＡＴＥ」に莫大な広告費をかけてきたことは明らかである。
　（イ）ウェブサイトによる広告
　請求人らは，ウェブサイト上でも「ＫＡＴＥ」商品の紹介を行っている。
　（ウ）イベント協賛による広告
　請求人らは，他企業とのイベントの場でも「ＫＡＴＥ」商品の広告，サンプル配布などにより，積極的に販売促進に努めてきた。
　（エ）有名企業とのコラボレーション
　請求人らは，「ＫＡＴＥ」に関し，株式会社ユニクロ，株式会社セガ等の有名企業とコラボレーションを行うなど斬新な試みも行っている。
　エ　引用各商標のブランド評価
　マーケティングリサーチを専門とする調査会社「株式会社インテージ」によると，「ＫＡＴＥ」商品は，２００３（平成１５）年から２０１３（平成２５）年の各期においてセルフメイクカテゴリーで金額販売シェア連続１位を記録している。セルフメイクカテゴリーとは，株式会社インテージによる属性定義上，「店舗がメーカーの管理下になく，美容部員が存在せず，消費者が自由に商品を手にし選ぶことのできるメーカー」が属する分類のことをいい，主にスーパーマーケットやドラッグストア等で取り扱われている化粧品ブランドがこれに該当する。このようなセルフメイクカテゴリーに属する化粧品ブランドは，流行に左右されやすく，短命に終わるブランドが少なくない。このようなセルフメイク市場の実情を考慮すれば，「ＫＡＴＥ」商品が１１年連続して金額販売シェア１位をキープしていることは，「ＫＡＴＥ」商品のコストパフォーマンスと品質の良さが市場において極めて高く評価されていることの証である。
　さらに，株式会社ビデオリサーチによる「ＫＡＴＥ」ブランドの認知度調査によれば，２００９（平成２１）年から２０１３（平成２５）年までの５年間で，２０代女性の平均値が通年８０％以上，３０代女性においては２０１０（平成２２）年以降８０％以上の認知度を記録している。また，認知度の最高値は，２０代女性に至っては通年９０％以上と極めて高く，３０代女性も通年８５％以上とのデータが計上されており，「ＫＡＴＥ」ブランドが周知・著名であることを示している。
　オ　小括
　このように，「ＫＡＴＥ」は，発売当初から注目を受け，さらには，巨額の広告費用を投じた宣伝活動を実施し，そのブランドカを，一般業界誌でも高く評価され，市場でも絶大な人気を誇っていることを考慮すれば，本件商標の出願時である平成２４（２０１２）年２月１４日当時には，引用各商標は，請求人らの化粧品等に使用される標章として，日本において高い周知・著名性を有するものとなっていたことは明らかである。
　（２）商標法第４条第１項第１１号について
　ア　本件商標
　本件商標は，「ＫＡＴＥ‘Ｓ　ＷＯＬＲＤ」の欧文字よりなるところ，前半の「ＫＡＴＥ」部分は，請求人らが商品「化粧品」等に使用して周知・著名な引用各商標と同一の文字からなることに加え，後半の「ＷＯＲＬＤ」部分は，英語で「世界，〜界」との意味で，日本人にもとてもよく親しまれた，辞書にも記載された英語であって，場所や範囲などを表す抽象的な言葉であるといえ，その指定商品との関係において自他商品識別機能を有さず，出所識別標識としての称呼，観念は生じないことから，本件商標においては，前半の「ＫＡＴＥ」部分が取引者，需要者に対し商品の出所識別標識として強く支配的な印象を与える要部であるといえる。
　また，請求人らの「ＫＡＴＥ」は，一貫してクールでシャープな独自の世界観を強調してきたことから，本件商標の「ＫＡＴＥ‘Ｓ　ＷＯＲＬＤ」からは，請求人らが商品「化粧品」等に使用して周知・著名な「ＫＡＴＥ」のクールでシャープな世界観を容易に想起させるといえる。
　したがって，本件商標からは，その構成全体で「ケイツワールド」との称呼及び「ＫＡＴＥの世界」といった観念が生じるほか，その要部である前半部の「ＫＡＴＥ」の部分から，「ケイト」の称呼及び請求人らが商品「化粧品」等に使用して周知・著名な「ＫＡＴＥ」との観念が生じるものである。
　イ　引用各商標
　引用商標１は，欧文字の「ＫＡＴＥ」及び片仮名の「ケイト」との二段書きからなり，引用商標２は，「ＫＡＴＥ」の欧文字を横書きしてなるものであるから，引用各商標は，いずれも「ケイト」の称呼が生じ，請求人らが商品「化粧品」等に使用して周知・著名な「ＫＡＴＥ」との観念が生じる。
　ウ　本件商標と引用各商標の類否について
　結合商標である本件商標は，その構成中，前半の「ＫＡＴＥ」部分が要部となり，そこから「ケイト」の称呼をも生ずるだけでなく，そこから請求人らが商品「化粧品」等に使用して周知・著名な「ケイト」との観念が生じることから，請求人らが商品「化粧品」等に使用して周知・著名な引用各商標と称呼・観念において類似するものである。
　エ　指定商品の類否について
　本件商標に係る指定商品中「Ｎｏｎ−ｍｅｄｉｃａｔｅｄ　ｔｏｉｌｅｔ　ｐｒｅｐａｒａｔｉｏｎｓ；ｃｏｓｍｅｔｉｃ　ｐｒｅｐａｒａｔｉｏｎｓ　ｆｏｒ　ｓｋｉｎ　ｃａｒｅ；ｂｏｄｙ　ａｎｄ　ｂｅａｕｔｙ　ｃａｒｅ　ｐｒｅｐａｒａｔｉｏｎｓ；ｐｏｗｄｅｒｓ，ｃｒｅａｍｓ　ａｎｄ　ｌｏｔｉｏｎｓ，ａｌｌ　ｆｏｒ　ｔｈｅ　ｆａｃｅ，ｈａｎｄｓ　ａｎｄ　ｂｏｄｙ　ｎｏｔ　ｆｏｒ　ｍｅｄｉｃａｌ　ｐｕｒｐｏｓｅｓ；ｎａｉｌ　ｐｏｌｉｓｈ；ｎａｉｌ　ｐｏｌｉｓｈ　ｒｅｍｏｖｅｒ；ｃｏｓｍｅｔｉｃｓ；ｓｈｏｗｅｒ　ａｎｄ　ｂａｔｈ　ｃｏｓｍｅｔｉｃ　ｐｒｅｐａｒａｔｉｏｎｓ；ｐｒｅｐａｒａｔｉｏｎｓ　ｆｏｒ　ｃｌｅａｎｉｎｇ，ｍｏｉｓｔｕｒｉｓｉｎｇ，ｃｏｌｏｕｒｉｎｇ　ａｎｄ　ｓｔｙｌｉｎｇ　ｔｈｅ　ｈａｉｒ；ｓｈａｖｉｎｇ　ａｎｄ　ａｆｔｅｒｓｈａｖｅ　ｐｒｅｐａｒａｔｉｏｎｓ；ｐｅｒｆｕｍｅｓ，ｔｏｉｌｅｔ　ｗａｔｅｒｓ，ｅａｕ−ｄｅ−Ｃｏｌｏｇｎｅ；ｄｅｏｄｏｒａｎｔｓ　ａｎｄ　ａｎｔｉ−ｐｅｒｓｐｉｒａｎｔｓ　ｆｏｒ　ｐｅｒｓｏｎａｌ　ｕｓｅ」は，引用商標１及び２に係る指定商品中「化粧品」と類似する。また，本件商標に係る指定商品中「ｓｏａｐｓ」は，引用商標１及び２に係る指定商品中「せっけん類」と類似する。さらに，本件商標に係る指定商品中「ｅｓｓｅｎｔｉａｌ　ｏｉｌｓ　（ｃｏｓｍｅｔｉｃｓ）」は，引用各商標に係る指定商品中「香料類」と類似する。
　オ　小括
　よって，本件商標は，商標法第４条第１項第１１号に該当する。
　（３）商標法４条第４項第１５号について
　ア　引用各商標の著名性
　上記で述べたとおり，引用各商標は，１９９７（平成９）年から，請求人らの業務に係る商品「化粧品」の名称「ＫＡＴＥ」として使用され，「ＫＡＴＥ」は，クールでシャープという独特な世界観を有し，その手ごろな価格設定及び商品の高品質・高性能もあいまって，ターゲット層の１０〜２０代はもちろん，４０，５０代の女性にも愛される人気商品となっている。
　以上のとおり，引用各商標は，遅くとも，本件商標の出願時である２０１２（平成２４）年２月１４日までには，我が国の取引者・需要者の間で周知・著名となっていた。
　イ　本件商標と引用各商標との類似性の程度
　商標法第４条第１項１５号は，同じく混同防止規定の趣旨に出た同項１０号ないし１４号の規定と異なり「類似」を法文上の要件から敢えて外すことにより，個別具体的な状況下で出所の混同のおそれがあると認められる商標の登録をより広く排除する趣旨に出たものである。そうすると，１５号の該当性を考慮するにあたって「類似性の程度」を他の判断基準よりも過度に重視すべきではない。
　上記で述べたとおり，本件商標は，引用各商標と称呼・観念において類似するというべきである。
　さらに，上述したとおり，請求人らの「ＫＡＴＥ」は，クールでシャープな独自の世界観を有していることから，本件商標の「ＫＡＴＥ‘Ｓ　ＷＯＲＬＤ」に接した需要者は，請求人らが商品「化粧品」等に使用して周知・著名な「ＫＡＴＥ」の持つクールでシャープな世界観を容易に想起させ，「ＫＡＴＥ」と関連のある商品であるかのごとく，その商品の出所について混同するおそれが極めて高い。
　また，仮に，本件商標が引用各商標との関係において，商標法第４条第１項第１１号における類似の要件を満たすほどの類似性を有するものではないとしても，なお「ＫＡＴＥ」の部分が共通するのであり，少なくとも，その類似性の程度は極めて高いというべきであり，このことを前提として出所混同のおそれの存否を判断しなければならない。
　なお，周知・著名な商標と同一の文字と自他商品識別機能を発揮しない文字との結合商標では，当該周知・著名商標との誤認・混同のおそれが高いということは，他の審決例においても認められているとおりであるから，本件商標と引用各商標との混同のおそれについても，同様に是認されて然るべきである。
　ウ　本件商標と引用各商標との指定商品の関連の程度等
　上記（２）エのとおり，本件商標と引用各商標との指定商品は類似するから，指定商品については，非常に高い関連性を有する。
　エ　小括
　以上によれば，引用各商標と称呼・観念において類似する本件商標を，その指定商品について使用した場合には，これに接する需要者・取引者は，周知・著名な引用各商標と関連のある商品であるかのごとく，その商品の出所について混同するおそれが極めて高い。
　よって，本件商標は，商標法第４条第１項第１５号に該当する。
　（４）結論
　以上のことから，本件商標は，商標法第４条第１項第１１号及び同項第１５号に該当するというべきであって，同法第４６条第１項第１号により，その登録を無効とすべきである。
第４　被請求人の答弁
　被請求人は，請求人の主張に対して，何ら答弁していない。
第５　当審の判断
　１　引用各商標の著名性について
　証拠及び請求人の主張によれば，以下の事実が認められる。
　（１）認定事実
　ア　新メイクアップシリーズ化粧品「ＫＡＴＥ」の市場への登場について
　（ア）請求人は，１９４０（昭和１５）年５月に設立され（なお，請求人の前身である「長瀬商店」の創業は，１８８７（明治２０）年である。），化粧品，スキンケア・ボディケア製品，ヘアケア製品やヘアスタイリング剤，健康機能性食品・飲料，サニタリー製品，オーラルケア製品，入浴剤，衣料用洗剤や柔軟仕上げ剤等のファブリックケア製品，食器用洗剤，住居用洗剤等のホームケア製品を中心に扱う，我が国で屈指の総合日用品メーカーである。同時に，これら日用品に加えて，油脂関連製品をはじめ，それを原料とする，油脂誘導体や界面活性剤，高機能ポリマー，香料など，多岐にわたる工業用製品も扱い，幅広い事業を展開する巨大企業である（甲６）。
　（イ）カネボウは，１９４９（昭和２４）年に設立した鐘淵化学工業株式会社が前身である化粧品全般の開発，製造，販売を主な業務内容とする，２００４（平成１６）年５月７日に設立された日本を代表する大手化粧品メーカーである。カネボウは，２００６（平成１８）年に請求人の完全子会社となった。
　（ウ）カネボウは，１９９７（平成９）年２月，２０歳前後の女性をコアターゲットとし，流行のアイテムやカラーを敏感にとらえた新メイクアップシリーズ化粧品「ＫＡＴＥ」（ケイト）を発売した（甲７）。なお，標章「ＫＡＴＥ」は，当該商品若しくはその包装又は当該商品に関する広告等に付される場合には，引用商標２に係るロゴタイプのものが，活字体で表されるときは，「ＫＡＴＥ」又は「ケイト」が用いられている。
　イ　「ＫＡＴＥ」商品の売上高及び販売店舗について
　「ＫＡＴＥ」商品に関する売上高は，２００８（平成２０）年には１６０億円超，２００９（平成２１）年には約１７０億円，２０１０（平成２２）年には１７０億円超，２０１１（平成２３）年には１８０億円超，２０１２（平成２４）年には１９０億円超，２０１３（平成２５）年には２００億円超を記録し，年々売上げが増加している（甲８）。
　さらに，「ＫＡＴＥ」商品は，２０１３（平成２５）年９月の時点において，東京だけでも１，６７５店舗，そして，日本全国（４７都道府県）では１６，５６８もの店舗が取り扱っている（甲８）。
　ウ　「ＫＡＴＥ」に関する広告宣伝活動
　（ア）テレビＣＭ
　「ＫＡＴＥ」商品に関するテレビＣＭは，関東地区において，２００３（平成１５）年では１７００ＧＰＲ，２００４（同１６）年では２０４２．５ＧＲＰ，２００５（同１７）年では３２８８．９ＧＲＰ，２００６（同１８）年では２０６５ＧＲＰ，２００７（同１９）年では２１３７．７ＧＲＰ，２００８（同２０）年では１７０５．８ＧＲＰ，２００９（同２１）年では３３８２ＧＲＰ，２０１０（同２２）年では４７０４．２ＧＲＰ，２０１１（同２３）年では５８５１．１ＧＲＰ，２０１２（同２４）年では４７６６ＧＲＰを記録している（甲８）。なお，ＧＲＰとは，「グロス・レイティング・ポイント」の略であり，ある期間中に放送したテレビＣＭの各回の世帯視聴率の合計である。例えば，関東地区で２２ＧＲＰを獲得するには２２５０万円程度のコストがかかる（甲１６）。
　（イ）ウェブサイトによる広告
　請求人らは，ウェブサイト上でも「ＫＡＴＥ」商品の紹介を行っており，黒色の背景を基調とした構成で，「ＫＡＴＥ」ブランドのクールでシャープな世界観の普遍性を象徴したものとなっている（甲１７）。
　（ウ）イベント協賛による広告
　ａ　２００９（平成２１）年８月３日，東京・新木場において開催された，株式会社講談社ＶｉＶｉ編集部の主催・企画によるイベント「ＶｉＶｉ　Ｎｉｇｈｔ　２００９　〜Ｇｉｒｌ’ｓ　Ｓｕｍｍｅｒ　Ｆｅｓｔｉｖａｌ〜」において，「ＫＡＴＥ」商品を自由に使用し試すことができる場を提供した（甲１８）。
　ｂ　２００９（平成２１）年８月，東京，大阪，名古屋の繁華街において，「ＫＡＴＥ」のロゴやイメージキャラクターを印刷したフィルムを車体に貼り付けたラッピング車両を走らせることにより新商品の告知を行った（甲１９）。
　ｃ　２００９（平成２１）年８月２９日，イーグルノース主催，人気女性誌「ＳＥＤＡ」の協賛によるイベント「ミス原宿グランプリ」において，「ＫＡＴＥ」新商品の展示，「ＫＡＴＥ」うちわの提供，「ＫＡＴＥ」新作メイク紹介等を行った（甲２０）。
　ｄ　２０１０（平成２２）年７月，東京，大阪，仙台，横浜，広島，福岡を含む全国２４か所において，大型看板及び大型ビジョンによる「ＫＡＴＥ」の広告を行った（甲２１）。
　ｅ　２０１２（平成２４）年７〜８月，映画「ＢＲＡＶＥ　ＨＥＡＲＴＳ　海猿」及び「アメイジング・スパイターマン」が上映された全国５６か所の映画館で，上映前に「ＫＡＴＥ」商品の広告を流し，館内で「ＫＡＴＥ」商品のサンプル６，０００部を配布した（甲２２，２３）。「ＢＲＡＶＥ　ＨＥＡＲＴＳ　海猿」については１週間，「アメイジング・スパイターマン」については２週間の間，「ＫＡＴＥ」商品の広告が上映されたが，その間に２８３，２００人が来場した（甲２４）。
　ｆ　２０１２（平成２４）年７月１７日付東京中日スポーツ，日刊スポーツ及びサンケイスポーツにおいて，女優「黒木メイサ」が「ＫＡＴＥ」の新ＣＭキャラクターに起用されたことが掲載された（甲２５）。
　ｇ　２０１２（平成２４）年７月，東京の新宿駅及び渋谷駅，名古屋の栄駅，大阪の梅田駅にて，「ＫＡＴＥ」の大型ポスター広告が掲載された（甲２６）。
　ｈ　２０１３（平成２５）年１〜２月に，映画「ストロベリーナイト」が上映された全国２４か所の映画館で，上映前に「ＫＡＴＥ」商品の広告が上映された（甲２７）。「ＫＡＴＥ」商品の広告が上映された１週間の間，この映画には，１０３，７９６人が来場した（甲２８）。
　ｉ　２０１３（平成２５）年２月，前年同様，東京の新宿駅及び渋谷駅，名古屋の栄駅，大阪の梅田駅において，「ＫＡＴＥ」の大型ポスター広告が掲載された（甲２９）。
　（エ）有名企業とのコラボレーション
　ａ　２０１１（平成２３）年，服飾メーカーで有名なＵＮＩＱＬＯとのコラボレーションＴシャツの企画・販売を行った（甲３０）。
　ｂ　２０１３（平成２５）年，ゲームメーカーで有名な株式会社セガが運営する大阪の「梅田ジョイポリス」において，プリントシール機の利用者に「ＫＡＴＥ」商品を貸し出すサービスを行った（甲３１）。
　ｃ　２０１１（平成２３）年２月２５日付けの日経流通新聞には，写真シール機最大手のフリューと組んで，シール機のモニター画面に「ＫＡＴＥ」のＣＭを流すほか，「ＫＡＴＥ」のロゴやフレームが入った特製シールを提供する旨が掲載された（甲３２の１及び２）。
　エ　「ＫＡＴＥ」の著名性に関する事実
　（ア）２００１（平成１３）年１０月１日発行の女性誌「ＣａｎＣａｎ」において，同誌の読者２００人が選ぶ「安くて，かわいくて，高性能！安かわコスメ新作博覧会」で，「ＫＡＴＥ」のアイシャドウ「フラッシュクラッシュ」がアイシャドウ部門の第１位に選ばれた（甲３６）。
　（イ）２００２（平成１４）年１１月７日発行の女性誌「ＳＥＤＡ」において，東京・恵比寿のドラッグストアＫポート（エクセレント店）でのアイカラー部門で，「ＫＡＴＥ」のアイシャドウ「パーリィクラッシュ」が第１位に選ばれた（甲４３）。
　（ウ）２００３（平成１５）年２月１日発行のコスメ雑誌「美的／ＢＩＴＥＫＩ」において，「発表！美的読者１，２５６人の自分史上最愛コスメランキング」のアイシャドウ部門で，「ＫＡＴＥ」のアイシャドウ「スパイシーアイズ」が第１位に選ばれた（甲４６）。
　（エ）２００４（平成１６）年１月発行の女性誌「ＣＵＴＩＥ」において，クチコミコスメランキングで，お気に入りアイシャドウとして「ＫＡＴＥ」が第１位に選ばれた（甲５４）。
　（オ）２００５（平成１７）年８月１日発行の女性誌「ａｒ」において，「読者１０００人に部門別アンケート　熱狂的コスメランキング」で，「ＫＡＴＥ」のアイシャドウ及びアイライナーが第３位，ネイルカラーが第５位に選ばれた（甲６４）。
　（カ）２００６（平成１８）年１月１日発行の女性誌「ＰＩＮＫＹ」において，「ビューティーアワード２００５　ＰＩＮＫＩＥＳ最愛コスメベスト３発表！」で，「ＫＡＴＥ」のアイシャドウ「グラディカルアイズ」が第２位に，「アイブロウペンシル」が第１位に選ばれた（甲６８）。
　（キ）２００７（平成１９）年８月１日発行の女性誌「ＶｏＣＥ（ヴォーチェ）」において，「さすがは，ベストコスメ！」との特集で，アイブロウ部門では「ＫＡＴＥ」の「デザイニングアイブロウ」が第１位に選ばれ，アイシャドウ部門及びアイライナー部門でもそれぞれ第３位及び第２位に選ばれた（甲７２）。
　（ク）２０１１（平成２３）年１月１日発行の女性誌「Ｄｏｍａｎｉ」において，「２０１０／２０１１年度　Ｄｏｍａｎｉ調べ美容国勢（この１年間でＤｏｍａｎｉ読者が選んだベストコスメランキング！）」で，「ＫＡＴＥ」のアイシャドウ「グラディカルアイズ」が第３位に選ばれた（甲９５）。
　（ケ）２０１３（平成２５）年１月１日発行の女性誌「ＶｏＣＥ（ヴォーチェ）」において，「２０１２年下半期『ＶＯＣＥベストコスメ』発表！」で，「ＫＡＴＥ」のアイブロウ「デザイニングアイブロウ」が第１位に選ばれた（甲１４０）。
　（コ）２０１３（平成２５）年６月１日発行の女性誌「ｂｅａ’ｓ　ｕｐ（ビーズアップ）」において，「２０１３年上半期買って良かった！コスメＴＯＰ５発表！」で，アイブロウ部門では「ＫＡＴＥ」の「デザイニングアイブロウ」が第１位に選ばれた（甲１５１）。
　オ　引用各商標のブランド評価
　（ア）マーケティングリサーチを専門とする調査会社「株式会社インテージ」の調査結果によれば，「ＫＡＴＥ」ブランドは，２００３（平成１５）年から２０１３（同２５）年の各期においてセルフメイクカテゴリー（「店舗がメーカーの管理下になく，美容部員が存在せず，消費者が自由に商品を手にし選ぶことのできるメーカー」が属する分類のことをいい，主にスーパーマーケットやドラッグストア等で取り扱われている化粧品ブランドがこれに該当する。今回の対象は，沖縄県を除く全国のスーパーマーケット１１００店，コンビニエンスストア７５０店，ホームセンター／ディスカウントストア２００店，ドラッグストア１０６０店の合計３１１０店。）で金額販売シェア連続１位を記録している（甲１６３）。
　（イ）株式会社ビデオリサーチによる「ＫＡＴＥ」ブランドの認知度調査（首都圏（埼玉・千葉・東京・神奈川）在住の満１５〜５９歳の女性５００ｓを対象）によれば，２００９（平成２１）年から２０１３（同２５）年までの５年間で，２０代女性の平均値（隔月で行っている調査データの年間平均値）が通年８０％以上，３０代女性においては２０１０（平成２２）年以降８０％以上の認知度を記録している。また，認知度の最高値（隔月で行っている調査データの年間最高値）は，２０代女性に至っては通年９０％以上と極めて高く，３０代女性も通年８５％以上とのデータが計上されている（甲１６４）。
　（２）判断
　前記（１）の認定事実によれば，２００６（平成１８）年に請求人の完全子会社になったカネボウは，１９９７（同９）年２月，２０歳前後の女性をコアターゲットとして，流行のアイテムやカラーを敏感にとらえた新メイクアップシリーズ化粧品「ＫＡＴＥ」（ケイト）を発売して以降，引用商標２に係るロゴタイプ及び「ＫＡＴＥ」又は「ケイト」の文字を使用して，少なくとも２００３（同１５）年頃からは，テレビＣＭ，ウェブサイト，イベント協賛，有名企業とのコラボレーションなどによる広告宣伝活動を全国規模で行い，「ＫＡＴＥ」商品に関する売上高も，２００８（同２０）年には１６０億円超，その後も年々売上げが増加しており，２０１３（同２５）年には２００億円超の売上げを記録しているほか，「ＫＡＴＥ」商品は，化粧品ブランドとして女性誌にも数多くとりあげられており，中でも，２００１（同１３）年〜２０１３（同２５）年までの間，ほぼ毎年，アイシャドウ，アイブロウなどの目元の化粧品分野では，人気ランキングの第１位に選ばれていること，引用各商標のブランド評価でも長年にわたり高い評価を得ていることが認められる。
　そうすると，引用各商標は，本件商標の登録出願時には既に，請求人らの業務に係る化粧品ブランドとして，我が国の取引者，需要者の間に広く認識されて周知・著名な商標となっており，本件商標の登録査定時及びそれ以降も，そのようなものとして継続していたと認めることができる。
　２　商標法第４条第１項第１１号該当性について
　（１）本件商標
　本件商標は，前記第１のとおり，「ＫＡＴＥ’Ｓ　ＷＯＲＬＤ」の欧文字を横書きしてなるものであるところ，「ＫＡＴＥ’Ｓ」と「ＷＯＲＬＤ」との間には，１文字分の空白が設けられていることから，両者は視覚的に分離して看取されること，また，前半の「ＫＡＴＥ’Ｓ」部分も，アポストロフィー（’）を介してなることから，「ＫＡＴＥ」に所有格（「…の」）を表す「’Ｓ」が付されたものであることは，容易に理解できるものである。そして，「ＷＯＲＬＤ」は，「世界」を意味する平易な英語である。
　そうすると，本件商標は，構成全体として，「ケイツワールド」との自然称呼が生じるとともに，「『ＫＡＴＥ』の世界」といった意味合いを認識させるものである。
　ところで，本件商標の指定商品は，前記第１のとおりであって，「化粧品」関係のほか，これと関連深い商品といえる「せっけん，歯の清浄用剤，精油（化粧品）」からなるものであるところ，前記１（２）のとおり，引用各商標（「ＫＡＴＥ」）は，本件商標の登録出願時には既に，請求人らの業務に係る化粧品ブランドとして，我が国の取引者，需要者の間に広く認識されて周知・著名な商標となっており，本件商標の登録査定時及びそれ以降も，そのようなものとして継続していたと認めることができるから，上記指定商品に使用する本件商標中の「ＫＡＴＥ」とは，その取引者，需要者をして，請求人らの業務に係る化粧品ブランドである「ＫＡＴＥ」を認識させるものであるといえる。
　したがって，上記「『ＫＡＴＥ』の世界」とは，「化粧品ブランドとして周知・著名な『ＫＡＴＥ』の世界」といった意味合いで認識されるものであるといえるから，本件商標の要部は，「ＫＡＴＥ」であるというべきである。本件商標からは，要部である「ＫＡＴＥ」に応じた「ケイト」との称呼及び「化粧品ブランドとして周知・著名な『ＫＡＴＥ』」との観念も生じる。
　（２）引用各商標
　引用各商標は，それぞれ，前記第２のとおりの構成からなる。すなわち，引用商標１は，「ＫＡＴＥ」の欧文字と「ケイト」片仮名を上下二段に横書きしてなるものであり，引用商標２は，別掲のとおり，「Ａ」の横棒を省略したデザイン化された「ＫＡＴＥ」の文字からなるものである。
　引用各商標は，前記１（２）のとおり，請求人らの業務に係る化粧品ブランドとして周知・著名な商標であるから，これらからは「ケイト」との称呼及び「化粧品ブランドとして周知・著名な『ＫＡＴＥ』」との観念が生じる。
　（３）本件商標と引用各商標との類否
　本件商標の要部「ＫＡＴＥ」と引用各商標とを対比すると，「ケイト」との称呼及び「化粧品ブランドとして周知・著名な『ＫＡＴＥ』」との観念が同一であり，外観も欧文字部分のつづりを共通にするから，両者は互いに類似する。したがって，本件商標と引用各商標も，互いに類似する商標であると認められる。
　（４）本件商標と引用各商標との指定商品の類否
　ア　本件商標の指定商品中「Ｎｏｎ−ｍｅｄｉｃａｔｅｄ　ｔｏｉｌｅｔ　ｐｒｅｐａｒａｔｉｏｎｓ；ｃｏｓｍｅｔｉｃ　ｐｒｅｐａｒａｔｉｏｎｓ　ｆｏｒ　ｓｋｉｎ　ｃａｒｅ；ｂｏｄｙ　ａｎｄ　ｂｅａｕｔｙ　ｃａｒｅ　ｐｒｅｐａｒａｔｉｏｎｓ；ｐｏｗｄｅｒｓ，ｃｒｅａｍｓ　ａｎｄ　ｌｏｔｉｏｎｓ，ａｌｌ　ｆｏｒ　ｔｈｅ　ｆａｃｅ，ｈａｎｄｓ　ａｎｄ　ｂｏｄｙ　ｎｏｔ　ｆｏｒ　ｍｅｄｉｃａｌ　ｐｕｒｐｏｓｅｓ；ｎａｉｌ　ｐｏｌｉｓｈ；ｎａｉｌ　ｐｏｌｉｓｈ　ｒｅｍｏｖｅｒ；ｃｏｓｍｅｔｉｃｓ；ｓｈｏｗｅｒ　ａｎｄ　ｂａｔｈ　ｃｏｓｍｅｔｉｃ　ｐｒｅｐａｒａｔｉｏｎｓ；ｐｒｅｐａｒａｔｉｏｎｓ　ｆｏｒ　ｃｌｅａｎｉｎｇ，ｍｏｉｓｔｕｒｉｓｉｎｇ，ｃｏｌｏｕｒｉｎｇ　ａｎｄ　ｓｔｙｌｉｎｇ　ｔｈｅ　ｈａｉｒ；ｓｈａｖｉｎｇ　ａｎｄ　ａｆｔｅｒｓｈａｖｅ　ｐｒｅｐａｒａｔｉｏｎｓ；ｐｅｒｆｕｍｅｓ，ｔｏｉｌｅｔ　ｗａｔｅｒｓ，ｅａｕ−ｄｅ−Ｃｏｌｏｇｎｅ；ｄｅｏｄｏｒａｎｔｓ　ａｎｄ　ａｎｔｉ−ｐｅｒｓｐｉｒａｎｔｓ　ｆｏｒ　ｐｅｒｓｏｎａｌ　ｕｓｅ」は，引用各商標の指定商品中，第３類「化粧品」と同一又は類似の商品であると認められる。
　イ　本件商標の指定商品中「ｓｏａｐｓ」は，引用各商標の指定商品中，第３類「せっけん類」と同一又は類似の商品であると認められる。
　ウ　本件商標の指定商品中「ｅｓｓｅｎｔｉａｌ　ｏｉｌｓ　（ｃｏｓｍｅｔｉｃｓ）」は，引用各商標の指定商品中，第３類「香料類」と同一又は類似の商品であると認められる。
　エ　本件商標の指定商品中「ｐｒｅｐａｒａｔｉｏｎｓ　ｆｏｒ　ｃｌｅａｎｉｎｇ　ｔｈｅ　ｔｅｅｔｈ」は，引用商標２の指定商品中，第２１類「化粧用具（「電気式歯ブラシ」を除く。）」に含まれる「歯ブラシ」と類似の商品であると認められる。
　（５）小括
　したがって，本件商標と引用各商標とは類似の商標であり，かつ，本件商標の指定商品と引用各商標の指定商品とは同一又は類似の商品であるから，本件商標は商標法第４条第１項第１１号に該当する。
　３　結語
　以上のとおり，本件商標は，商標法第４条第１項第１１号に違反して登録されたものであるから，その余の無効理由について判断するまでもなく，同法第４６条第１項の規定に基づき，その登録を無効にすべきものである。
　よって，結論のとおり審決する。